(57)【要約】      （修正有）【課題】台座部及び保形部は合成樹脂製のため製作が容易であって、製作コストを低減することができ、各保形部はそれぞれ下部保形部及び上部保形部からなるので、下部保形部から上部保形部を取り外すことができ、高さを低くすることができ、収納や運搬の利便性を高めることができるブーツスタンドを提供する。【解決手段】各保形部はそれぞれ下部保形部３及び上部保形部４からなり、下部保形部は筒状の下周面壁３ａ、開口底面及び脱臭剤や乾燥剤等の薬剤を載置可能な上部の中間壁からなり、上部保形部は筒状の上周面壁４ａ、開口底面及び上部の上面壁４ｃからなり、下部保形部の下周面壁の下部対向側面にそれぞれ開口部３ｄを形成すると共に中間壁に複数個の通穴を形成し、上部保形部の対向側面にそれぞれ上下多段状に複数個の通穴４ｄを形成すると共に上面壁部に複数個の通穴４ｅを形成してなる。【選択図】図１
0003146802.tif 000002
【実用新案登録請求の範囲】
【請求項１】
合成樹脂製の台座部に倒立状にブーツを差込保形可能な合成樹脂製の左右一対の保形部を並列立設してなり、上記一対の各保形部はそれぞれ下部保形部及び該下部保形部に対して着脱自在な上部保形部からなり、該下部保形部は上記台座部から立ち上がる筒状の下周面壁、開口底面及び脱臭剤や乾燥剤等の薬剤を載置可能な上部の中間壁からなり、該上部保形部は筒状の上周面壁、開口底面及び上部の上面壁からなり、該下部保形部の下周面壁の下部対向側面にそれぞれ開口部を形成すると共に下部保形部の中間壁に複数個の通穴を形成し、上記上部保形部の対向側面にそれぞれ上下多段状に複数個の通穴を形成すると共に上部保形部の上面壁部に複数個の通穴を形成してなることを特徴とするブーツスタンド。
【請求項２】
上記下部保形部の中間壁に上記上部保形部の上周面壁の内周面に差込嵌合可能な嵌合筒部を立設してなることを特徴とする請求項１記載のブーツスタンド。
【請求項３】
上記嵌合筒部の外周面に位置決め凸部を形成し、上記上部保形部の上周面壁の下部に該位置決め凸部に嵌合可能な差込方向に延びる位置決め切欠溝部を形成してなることを特徴とする請求項１又は２記載のブーツスタンド。
【考案の詳細な説明】
【技術分野】
【０００１】
本考案は例えば不使用時に左右一対のブーツを保管する際に用いられるブーツスタンドに関するものである。
【背景技術】
【０００２】
従来、この種のブーツスタンドとして、台座部に倒立状にブーツを差込保形可能な左右一対の保形部を並列立設してなる構造のものが知られている。
【特許文献１】特許第３８６３５１３号公報
【考案の開示】
【考案が解決しようとする課題】
【０００３】
しかしながら上記従来構造の場合、構造が複雑化し易くて製作コストの低下が困難なことがあり、また、空気の流通具合によるブーツ内の蒸れ、臭い、湿気による雑菌の発生等による問題が起きることがあるという不都合を有している。
【課題を解決するための手段】
【０００４】
本考案はこのような不都合を解決することを目的とするもので、本考案のうちで、請求項１記載の考案は、合成樹脂製の台座部に倒立状にブーツを差込保形可能な合成樹脂製の左右一対の保形部を並列立設してなり、上記一対の各保形部はそれぞれ下部保形部及び該下部保形部に対して着脱自在な上部保形部からなり、該下部保形部は上記台座部から立ち上がる筒状の下周面壁、開口底面及び脱臭剤や乾燥剤等の薬剤を載置可能な上部の中間壁からなり、該上部保形部は筒状の上周面壁、開口底面及び上部の上面壁からなり、該下部保形部の下周面壁の下部対向側面にそれぞれ開口部を形成すると共に下部保形部の中間壁に複数個の通穴を形成し、上記上部保形部の対向側面にそれぞれ上下多段状に複数個の通穴を形成すると共に上部保形部の上面壁部に複数個の通穴を形成してなることを特徴とするブーツスタンドにある。
【０００５】
又、請求項２記載の考案は、上記下部保形部の中間壁に上記上部保形部の上周面壁の内周面に差込嵌合可能な嵌合筒部を立設してなることを特徴とするものであり、又、請求項３記載の考案は、上記嵌合筒部の外周面に位置決め凸部を形成し、上記上部保形部の上周面壁の下部に該位置決め凸部に嵌合可能な差込方向に延びる位置決め切欠溝部を形成してなることを特徴とするものである。
【考案の効果】
【０００６】
本考案は上述の如く、請求項１記載の考案にあっては、台座部に並列立設された左右一対の保形部にそれぞれ倒立状にブーツを差込保形することになり、台座部及び保形部は合成樹脂製のため製作が容易であって、製作コストを低減することができ、上記一対の各保形部はそれぞれ下部保形部及び下部保形部に対して着脱自在な上部保形部からなるので、下部保形部から上部保形部を取り外すことができ、高さを低くすることができ、収納や運搬の利便性を高めることができ、下部保形部は上記台座部から立ち上がる筒状の下周面壁、開口底面及び脱臭剤や乾燥剤等の薬剤を載置可能な上部の中間壁からなり、一方、上部保形部は筒状の上周面壁、開口底面及び上部の上面壁からなり、下部保形部の下周面壁の下部対向側面にそれぞれ開口部を形成すると共に下部保形部の中間壁に複数個の通穴を形成し、上記上部保形部の対向側面にそれぞれ上下多段状に複数個の通穴を形成すると共に上部保形部の上面壁部に複数個の通穴を形成しているから、下部保形部及び上部保形部からなる保形部の内外の空気の流通性を高めることができると共に脱臭剤や乾燥剤等の薬剤の効能も相俟ってブーツ内の蒸れ、臭い、湿気による雑菌の発生等を防ぐことができ、よって、ブーツを衛生的に保管することができる。
【０００７】
又、請求項２記載の考案にあっては、上記下部保形部の中間壁に上記上部保形部の上周面壁の内周面に差込嵌合可能な嵌合筒部を立設してなるから、下部保形部と上部保形部との着脱を容易に行うことができ、又、請求項３記載の考案にあっては、上記嵌合筒部の外周面に位置決め凸部を形成し、上記上部保形部の上周面壁の下部に位置決め凸部に嵌合可能な差込方向に延びる位置決め切欠溝部を形成しているから、下部保形部と上部保形部との着脱を一層容易に行うことができる。
【考案を実施するための最良の形態】
【０００８】
図１乃至図７は本考案の実施の形態例を示し、大別して、合成樹脂製の台座部１と、この台座部１並列立設され、倒立状に一足のブーツＷ・Ｗを差込保形可能な合成樹脂製の左右一対の保形部２・２とからなり、かつ、上記一対の各保形部２・２はそれぞれ下部保形部３及び該下部保形部３に対して着脱自在な上部保形部４からなる。
【０００９】
この下部保形部３は、図３の如く、上記台座部１から立ち上がる筒状の下周面壁３ａ、開口底面３ｂ及び脱臭剤Ｍ1や乾燥剤Ｍ2等の薬剤Ｍを載置可能な上部の中間壁３ｃからなり、一方、上部保形部４は筒状の上周面壁４ａ、開口底面４ｂ及び上部の上面壁４ｃからなる。
【００１０】
そして、上記下部保形部３の下周面壁３ａの下部対向側面にそれぞれ四角穴状の開口部３ｄ・３ｄを形成すると共に下部保形部３の中間壁３ｃに複数個の通穴３ｅ・・・を形成し、一方、上記上部保形部４の対向側面にそれぞれ上下多段状に複数個の通穴４ｄ・４ｄ・・を形成すると共に上部保形部４の上面壁部４ａに複数個の通穴４ｅを形成している。
【００１１】
そして、この場合、図６の如く、上記下部保形部３の中間壁３ｃに上記上部保形部４の上周面壁４ａの内周面に差込嵌合可能な嵌合筒部５を立設してなり、かつ、上記嵌合筒部５の外周面に位置決め凸部６を形成し、上記上部保形部４の上周面壁４ａの下部に位置決め凸部６に嵌合可能な差込方向に延びる位置決め切欠溝部７を形成して構成している。
【００１２】
この実施の形態例は上記構成であるから、図７の如く、上記台座部１に並列立設された左右一対の保形部２・２にそれぞれ倒立状にブーツＷ・Ｗを差込保形することになり、台座部１及び保形部２・２は合成樹脂製のため製作が容易であって、製作コストを低減することができ、図２の如く、上記一対の各保形部２・２はそれぞれ下部保形部３及び下部保形部３に対して着脱自在な上部保形部４からなるので、下部保形部３から上部保形部４を取り外すことができ、高さを低くすることができ、収納や運搬の利便性を高めることができ、かつ、図３、図４、図５、図６の如く、下部保形部３は上記台座部１から立ち上がる筒状の下周面壁３ａ、開口底面３ｂ及び脱臭剤や乾燥剤等の薬剤Ｍを載置可能な上部の中間壁３ｃからなり、一方、上部保形部４は筒状の上周面壁４ａ、開口底面４ｂ及び上部の上面壁４ｃからなり、下部保形部３の下周面壁３ａの下部対向側面にそれぞれ開口部３ｄ・３ｄを形成すると共に下部保形部３の中間壁３ｃに複数個の通穴３ｅ・・・を形成し、上記上部保形部４の対向側面にそれぞれ上下多段状に複数個の通穴４ｄ・４ｄ・・を形成すると共に上部保形部４の上面壁部４ａに複数個の通穴４ｅを形成しているから、下部保形部３及び上部保形部４からなる保形部２の内外の空気の流通性を高めることができると共に脱臭剤Ｍ1や乾燥剤Ｍ2等の薬剤Ｍの効能も相俟ってブーツＷ・Ｗ内の蒸れ、臭い、湿気による雑菌の発生等を防ぐことができ、よって、ブーツＷ・Ｗを衛生的に保管することができる。
【００１３】
この場合、図５の如く、上記下部保形部３の中間壁３ｃに上記上部保形部４の上周面壁４ａの内周面に差込嵌合可能な嵌合筒部５を立設してなるから、下部保形部３と上部保形部４との着脱を容易に行うことができ、かつ、この場合、図６の如く、上記嵌合筒部５の外周面に位置決め凸部６を形成し、上記上部保形部４の上周面壁４ａの下部に位置決め凸部６に嵌合可能な差込方向に延びる位置決め切欠溝部７を形成しているから、下部保形部３と上部保形部４との着脱を一層容易に行うことができる。
【００１４】
尚、本考案は上記実施の形態例に限られるものではなく、台座部１、保形部２、下保形部３、上保形部４の大きさや形態、構造等はブーツの形態に応じて適宜変更して設計されるものである。
【００１５】
以上の如く、所期の目的を充分達成することができる。
【図面の簡単な説明】
【００１６】
【図１】本考案の実施の形態例の全体斜視図である。
【図２】本考案の実施の形態例の分解斜視図である。
【図３】本考案の実施の形態例の部分側断面図である。
【図４】本考案の実施の形態例の部分平断面図である。
【図５】本考案の実施の形態例の部分側断面図である。
【図６】本考案の実施の形態例の部分斜視図である。
【図７】本考案の実施の形態例の使用状態図である。
【符号の説明】
【００１７】
Ｗ    ブーツ
Ｍ    薬剤
１    台座部
２    保形部
３    下部保形部
３ａ    下周面壁
３ｂ    開口底面
３ｃ    中間壁
３ｄ    開口部
３ｅ    通穴
４    上部保形部
４ａ    上周面壁
４ｂ    開口底面
４ｃ    上面壁
４ｄ    通穴
４ｅ    通穴
５    嵌合筒部
６    位置決め凸部
７    位置決め切欠溝部
【図１】
0003146802.tif 000003
【図２】
0003146802.tif 000004
【図３】
0003146802.tif 000005
【図４】
0003146802.tif 000006
【図５】
0003146802.tif 000007
【図６】
0003146802.tif 000008
【図７】
0003146802.tif 000009